(57)【要約】【課題】シャワーヘッドから吐出されるシャワー水の吐出圧に着目し、これを有効に利用することにより、使用者の手やホースに付着した泡は勿論、シャワーヘッドを全体にわたって綺麗に洗浄できるようにすることにある。【解決手段】内面が凹面状に形成された開口部を有する洗浄具本体と、該洗浄具本体を壁面等に固定するための取付け手段とを備え、且つシャワーヘッドのヘッド部分に設けた吐出部を前記洗浄具本体の内面に対向配置させた際に、該洗浄具本体の内面を介してシャワー水が前記ヘッド部分の背面に流出し得るように構成されてなる。【選択図】図１
0003134862.tif 000002
【実用新案登録請求の範囲】
【請求項１】
内面が凹面状に形成された開口部を有する洗浄具本体と、該洗浄具本体を壁面等に固定するための取付け手段とを備え、且つシャワーヘッドのヘッド部分に設けた吐出部を前記洗浄具本体の内面に対向配置させた際に、該洗浄具本体の内面を介してシャワー水が前記ヘッド部分の背面に流出し得るように構成されてなることを特徴とするシャワーヘッド用洗浄具。
【請求項２】
前記シャワーヘッドの吐出部を洗浄具本体の内面に対向配置させた状態で、該洗浄具本体が前記シャワーヘッドを保持し得るように構成されてなることを特徴とする請求項１記載のシャワーヘッド用洗浄具。
【請求項３】
前記シャワーヘッドを保持すべく、洗浄具本体の開口部にシャワーヘッドのヘッド部分を係止可能な係止部が設けられてなることを特徴とする請求項２記載のシャワーヘッド用洗浄具。
【請求項４】
前記取付け手段により略垂直状の壁面等に洗浄具本体を取付けた際に、該洗浄具本体の開口部が上向きとなるべく構成されてなることを特徴とする請求項１乃至３の何れかに記載のシャワーヘッド用洗浄具。
【請求項５】
前記シャワーヘッドの吐出部を洗浄具本体の内面に対向配置させた際に、該洗浄具本体の内面を介してシャワー水をシャワーヘッドのヘッド部分の背面に流出させるべく、該ヘッド部分の外面部と前記洗浄具本体の開口部の内周面間に間隙が形成されるように構成してなることを特徴とする請求項１乃至４の何れかに記載のシャワーヘッド用洗浄具。
【請求項６】
前記ヘッド部分の外面部と洗浄具本体の開口部の内面間に間隙を形成すべく、該開口部の内周面に複数の凸部が設けられてなることを特徴とする請求項５記載のシャワーヘッド用洗浄具。
【請求項７】
前記取付け手段が壁面等に吸着可能な吸着盤であることを特徴とする請求項１乃至６の何れかに記載のシャワーヘッド用洗浄具。
【考案の詳細な説明】
【技術分野】
【０００１】
本考案は、例えば入浴時等においてシャワーヘッドやホース等に付着した泡を良好に洗浄することのできるシャワーヘッド用洗浄具に関する。
【背景技術】
【０００２】
一般に、浴室において例えば頭髪をシャンプーしたり、身体を石鹸等の洗浄剤で洗った後には、シャワーヘッドやホース等に洗浄剤の泡が付着することがよくある。このように付着した泡は、シャワー使用後には、次の使用者のために綺麗に洗浄しておくのが好ましい考えられる。
【０００３】
この場合、別途水道の水等をかけて洗浄することが考えられるが、かかる一連の洗浄作業は手間を要するものであるために、従来、例えばシャワー水を利用してシャワーヘッドを洗浄せんとする洗浄具が開発されている（特許文献１）。
【０００４】
即ち、この従来の洗浄具は図９に示すように、内周面にシャワー水誘導面２０を形成すると共に、前面に開口部２１を開設した中空本体２２と、その下方に併設されるハンドシャワーヘッド収納容器２３とからなるものである。
【０００５】
かかるシャワーヘッド用洗浄具は、シャワーヘッドＳ１のヘッド部分２４に設けた吐出部２５を前記中空本体２２の開口部２１から離れた外側に配置した状態で使用されるものであり、吐出部２５から吐出されたシャワー水を中空本体２２のシャワー水誘導面２０に当てて、前記開口部２１の下部出口から流下するシャワー水により使用者の手、シャワーベッドＳ１の把持部２６及びホース２７に付着している洗浄剤の泡を洗い流そうとするものである。
【特許文献１】特開２００５−８７７０７号公報
【考案の開示】
【考案が解決しようとする課題】
【０００６】
しかしながら、上記従来の洗浄具は、シャワーヘッドＳ１の吐出部２５を開口部２１から離れた外側に配置した状態で使用され、該開口部２１の下部出口から流下したシャワー水により泡の洗浄を行うものであるために、洗浄可能な部位がシャワーヘッドＳ１の把持部２６やホース２７に限定されるという難点を有しており、シャワーヘッドＳ１の吐出部２５の周辺部分、即ちヘッド部分２４の背面等に付着した泡は洗い流せないという大なる問題点があったのである。
【０００７】
それ故に、本考案は上記従来の問題点を解決すべくなされたものであり、シャワーヘッドから吐出されるシャワー水の吐出圧に着目し、これを有効に利用することにより、使用者の手やホースに付着した泡は勿論、シャワーヘッドを全体にわたって綺麗に洗浄できるようにすることを課題としている。
【課題を解決するための手段】
【０００８】
即ち、上記課題を解決するために本考案の請求項１に記載した考案は、内面が凹面状に形成された開口部を有する洗浄具本体と、該洗浄具本体を壁面等に固定するための取付け手段とを備え、且つシャワーヘッドのヘッド部分に設けた吐出部を前記洗浄具本体の内面に対向配置させた際に、該洗浄具本体の内面を介してシャワー水が前記ヘッド部分の背面に流出し得るように構成されてなることを特徴とする。
【０００９】
請求項１記載のシャワーヘッド用洗浄具は、取付け手段により浴室の壁面等に取付けて使用する。そして、シャワーヘッドのヘッド部分に設けた吐出部を洗浄具本体の内面に対向配置すると、該吐出部から所定の吐出圧を有して吐出されたシャワー水は前記洗浄具本体の内面を介してヘッド部分の背面に流出することになり、これによりシャワーヘッド等に付着した泡が洗浄される。
【００１０】
請求項２記載のシャワーヘッド用洗浄具は、請求項１記載の洗浄具において、前記シャワーヘッドの吐出部を洗浄具本体の内面に対向配置させた状態で、該洗浄具本体が前記シャワーヘッドを保持し得るように構成されてなることを特徴とする。
【００１１】
請求項２記載のシャワーヘッド用洗浄具は、洗浄具本体でシャワーヘッドを保持することにより、シャワーヘッドの吐出部と洗浄具本体の内面とが対向配置され、この状態でシャワーヘッド等の洗浄が行われる。
【００１２】
請求項３記載のシャワーヘッド用洗浄具は、請求項２記載のシャワーヘッド用洗浄具において、シャワーヘッドを保持すべく、洗浄具本体の開口部にシャワーヘッドのヘッド部分を係止可能な係止部が設けられてなることを特徴とする。
【００１３】
請求項３記載のシャワーヘッド用洗浄具は、洗浄具本体の係止部にシャワーヘッドのヘッド部分を係止させて保持することにより、シャワーヘッドの吐出部と洗浄具本体の内面とが対向配置されて、この状態でシャワーヘッド等の洗浄が行われる。
【００１４】
請求項４記載のシャワーヘッド用洗浄具は、請求項１乃至３の何れかに記載のシャワーヘッド用洗浄具において、取付け手段により略垂直状の壁面等に洗浄具本体を取付けた際に、該洗浄具本体の開口部が上向きとなるべく構成されてなることを特徴とする。
【００１５】
請求項４記載のシャワーヘッド用洗浄具は、洗浄具本体の開口部が上向き構成されてなるために、シャワーヘッドの吐出部は下向きの状態で洗浄具本体の内面と対向配置されることになり、この状態でシャワーヘッドの洗浄等が行われる。
【００１６】
請求項５記載のシャワーヘッド用洗浄具は、請求項１乃至４の何れかに記載のシャワーヘッド用洗浄具において、シャワーヘッドの吐出部を洗浄具本体の内面に対向配置させた際に、該洗浄具本体の内面を介してシャワー水をシャワーヘッドのヘッド部分の背面に流出させるべく、該ヘッド部分の外面部と前記洗浄具本体の開口部の内周面間に間隙が形成されるように構成してなることを特徴とする。
【００１７】
請求項５記載のシャワーヘッド用洗浄具は、シャワーヘッドの吐出部から吐出されたシャワー水は、洗浄具本体の内面を介して間隙からヘッド部分の背面に流出することになり、これによりシャワーヘッド等の洗浄が行われる。
【００１８】
請求項６記載のシャワーヘッド用洗浄具は、請求項５記載のシャワーヘッド用洗浄具において、ヘッド部分の外面部と洗浄具本体の開口部の内周面間に間隙を形成すべく、該開口部の内周面に複数の凸部が設けられてなることを特徴とする。
【００１９】
請求項６記載のシャワーヘッド用洗浄具は、凸部により開口部の内周面とヘッド部分の外面部間に間隙が形成されることになり、かかる間隙からシャワー水がヘッド部分の背面に流出して洗浄が行われる。
【００２０】
請求項７記載のシャワーヘッド用洗浄具は、請求項１乃至６の何れかに記載のシャワーヘッド用洗浄具において、取付け手段が壁面等に吸着可能な吸着盤であることを特徴とする。
【００２１】
請求項７記載のシャワーヘッド用洗浄具は、吸着盤を壁面等に吸着させて洗浄具本体を該壁面等に取付けてシャワーヘッド等の洗浄を行う。
【考案の効果】
【００２２】
請求項１に記載のシャワーヘッド用洗浄具は、所定の吐出圧でシャワー水が吐出されるシャワーヘッドの吐出部を洗浄具本体の内面に対向配置させてなるために、シャワー水の吐出圧を有効に利用して、該シャワー水を前記内面からシャワーヘッドのヘッド部分の背面へと流出させることが可能になる。このため、従来の洗浄具では洗浄し得なかったヘッド部分も良好に洗浄することができ、よってシャワーヘッドを全体にわたって綺麗に洗浄することができるという格別の効果を得るに至った。
【００２３】
請求項２記載のシャワーヘッド用洗浄具は、使用者がシャワーヘッドを洗浄具本体に保持させることにより、その吐出部と洗浄具本体の内面との対向配置状態を維持することが可能となって、一連の洗浄作業の簡略化が図れる結果、使用者にかかる負担を軽減させ得るという特有の効果が得られた。
【００２４】
請求項３に記載のシャワーヘッド用洗浄具は、洗浄具本体の開口部にヘッド部分を係止可能な係止部が設けられているため、該係止部にヘッド部分を係止させるという簡単な操作によりシャワーヘッドを保持することができて洗浄の便に大いに供し得ると共に、かかる構成は非常に簡易であるため、その製作も容易に行えるという効果がある。
【００２５】
請求項４に記載のシャワーヘッド用洗浄具は、取付け手段により洗浄具本体を略垂直状の壁面等に取付けると、該洗浄具本体の開口部が上向きとなるように構成しているため、シャワーヘッドの洗浄時にはその吐出部を下向きにした状態で洗浄具本体の内面に対向配置すればよいので、使用者は無理なく容易にシャワーヘッド等を洗浄できるという効果がある。
【００２６】
請求項５に記載のシャワーヘッド用洗浄具によれば、シャワーヘッドのヘッド部分の外面部と洗浄具本体の開口部の内周面間に間隙が形成されるように構成してなるため、かかる間隙を介してシャワー水をヘッド部分の背面に良好に流出させ得ることとなり、その結果シャワーヘッド等の洗浄を確実に行えるという効果を奏する。
【００２７】
請求項６に記載のシャワーヘッド用洗浄具は、洗浄具本体の開口部の内周面に複数の凸部を設けることにより、該開口部の内周面とヘッド部分の外面部間に間隙を形成したものであるが、かかる簡易な構成によって間隙を確実に形成できるという効果がある。
【００２８】
請求項７に記載のシャワーヘッド用洗浄具は、壁面等に吸着可能な吸着盤を取付け手段としているため、容易に洗浄具を壁面等に取付けることができ、且つかかる取付け状態を良好に維持し得るという効果がある。
【００２９】
また、本考案に係るシャワーヘッド用洗浄具は全体の構成が非常に簡易であるために、その製作も安価に且つ容易に行うことができるという実用的な効果もある。
【考案を実施するための最良の形態】
【００３０】
本考案に係るシャワーヘッド用洗浄具を実施するための最良の形態を図面に基づいて具体的に説明する。
【００３１】
図１において、１は前面に開口部２を設けた略半球状の洗浄具本体を示し、その内面３は凹面状に形成されている。４は洗浄具本体１の背面に、その中央部よりも若干上方位置に設けたフックであり、上下方向に係止溝５を有している。６は前記開口部２の内周面に所定間隔を有して形成した複数の凸部である。尚、以上の各部材は合成樹脂で構成している。
【００３２】
７は壁面等に洗浄具本体１を取付けるための吸着盤で、その前面に突設した係止凸部８を前記フック４の係止溝５に係入して洗浄具本体１に固定される。
【００３３】
本実施形態は以上のような構成からなり、かかる洗浄具は図２に示すように吸着盤７を略垂直状の壁面Ａ等に吸着させて、洗浄具本体１を該壁面Ａ等に取付けた状態で使用する。この場合、上述の如くフック４は洗浄具本体１の中央部よりも若干上方位置に設けられているため、洗浄具本体１の開口部２は上向きに配置されることになる。また、吸着盤７よる壁面Ａ等への取付け作業は誰にでも容易で行うことができ、且つかかる取付け状態は良好に維持される。
【００３４】
そして、シャワーヘッドＳを洗浄する場合は、図２の如くシャワーヘッドＳのヘッド部分９に設けた吐出部１０からシャワー水を吐出させた状態で、該吐出部１０を図３及び図４に示すように洗浄具本体１の内面３に対向配置させる。この場合、洗浄具本体１の開口部２は上向きに配置されているため、前記吐出部１０を下向きにした状態で内面３に対向配置すればよく、使用者は無理なく容易にシャワーヘッドを洗浄することができる。
【００３５】
また、洗浄具本体１の開口部２の内周面には凸部６が設けられてなるため、該内周面とシャワーヘッドＳのヘッド部分９の外面間には図３のように常に間隙１１が形成されることになる。
【００３６】
従って、所定の吐出圧をもってシャワーヘッドＳの吐出部１０から吐出されたシャワー水は、図４のように洗浄具本体１の内面３及び間隙１１を介してシャワーヘッドＳのヘッド部分９の背面に確実に流出し、該ヘッド部分９に付着した泡を洗い流した後、さらに流下してシャワーヘッドＳの把持部１２、使用者の手１３及びホース１４が洗浄される。即ち、シャワー水の吐出圧を有効に利用して、シャワーヘッドＳ全体を綺麗に洗浄することができるのである。
【００３７】
また、洗浄具は全体の構成が非常に簡易であるために、その製作も安価に且つ容易に行うことができる。
【００３８】
尚、上記実施形態においては、使用者がシャワーヘッドＳを保持しながらその洗浄を行うように構成したが、洗浄具でシャワーヘッドＳを保持できるように構成することも可能である。
【００３９】
この場合は、例えば図５に示すように洗浄具本体１の前面上部に開口部２を設け、その内面３を凹面状に形成すると共に、洗浄具本体１の背面に上下一対の吸着盤８を設けて取付け手段とする。また、吸着盤８を略垂直状の壁面Ａ等に吸着させた場合、前記開口部２は上向きに配置されるように構成している。さらに、この開口部２の下端部には、シャワーヘッドＳのヘッド部分９に設けた係止凹部１５を係止可能な上向きの係止部１６が設けられており、該係止部１６に係止凹部１５を係止させた際には、係止部１６の部位を除いて、図６の如く開口部２の内周面とヘッド部分９の外面間には間隙１１が形成されるように構成している。尚、この場合において、シャワーヘッドＳのヘッド部分９以外の部位、例えば把持部１２等を保持するように構成しても構わない。また、開口部２の内周面には上記実施形態と同様に凸部６を設けることも可能である。これにより、間隙１１が確実に形成されて洗浄の便に供することになる。
【００４０】
かかる洗浄具を使用してシャワーヘッドＳを洗浄する場合は、図７のようにシャワーヘッドＳの吐出部１０からシャワー水を吐出させた状態で、図６及び図８に示すようにシャワーヘッドＳの係止凹部１５を洗浄具本体１の係止部１６に係止すればシャワーヘッドＳは保持され、使用者はシャワーヘッドＳから手を離すことができる。これによって、使用者の負担が軽減されることになる。
【００４１】
そして、シャワーヘッドＳの吐出部１０から所定圧力で吐出されたシャワー水は、洗浄具本体１の内面３及び間隙１１を介してシャワーヘッドＳのヘッド部分９の背面に良好に流出し、該ヘッド部分９に付着した泡を洗い流した後、さらに流下してシャワーヘッドＳの把持部１２、使用者の手１３及びホース１４が洗浄されることになる。即ち、この場合もシャワー水の吐出圧を有効利用した洗浄が行えるのである。
【００４２】
また、上記実施形態では、吸着盤７により略垂直状の壁面Ａ等に洗浄具本体１を取付けた際に、該洗浄具本体１の開口部２が上向きとなるべく構成したが、必ずしもこのように構成する必要はない。
【００４３】
さらに、上記実施形態にあっては、洗浄具本体１の開口部２の内周面に凸部６を設けて構成したが、例えばシャワーヘッドＳの位置やシャワー水の吐出圧等を使用者自身が適宜変更すれば、シャワー水をヘッド部分９の背面に流出させ得るので、かかる凸部６は省略してもよい。
【００４４】
また、洗浄具本体１の壁面Ａ等への取付け手段も上記実施形態の吸着盤７に限定されるものではなく、取付け場所等に応じて適切な取付け手段を採用すればよい。
【００４５】
その他、洗浄具の各部の形状や材質等の具体的な構成も本考案の意図する範囲内において任意に設計変更自在である。
【図面の簡単な説明】
【００４６】
【図１】本考案に係るシャワーヘッド用洗浄具の一実施形態を示し、（ａ）は正面図、（ｂ）は背面図、（ｃ）は側面図、（ｄ）は断面図、（ｅ）は分解斜視図である。
【図２】本考案に係るシャワーヘッド用洗浄具の一実施形態を示す側面図である。
【図３】本考案に係るシャワーヘッド用洗浄具の一実施形態を示し、（ａ）は使用状態を示す正面図、（ｂ）は拡大正面図である。
【図４】本考案に係るシャワーヘッド用洗浄具の一実施形態を示す側面図である。
【図５】本考案に係るシャワーヘッド用洗浄具の他の一実施形態を示す断面図である。
【図６】本考案に係るシャワーヘッド用洗浄具の他の一実施形態を示す正面図である。
【図７】本考案に係るシャワーヘッド用洗浄具の他の一実施形態を示す側面図である。
【図８】本考案に係るシャワーヘッド用洗浄具の他の一実施形態を示す断面図である。
【図９】従来のシャワーヘッド用洗浄具（特許文献１）を示す斜視図である。
【符号の説明】
【００４７】
１    洗浄具本体
２    開口部
３    内面
６    凸部
７    吸着盤
９    ヘッド部分
１０  吐出部
１１  間隙
１６  係止部
Ｓ    シャワーヘッド
【図１】
0003134862.tif 000003
【図２】
0003134862.tif 000004
【図３】
0003134862.tif 000005
【図４】
0003134862.tif 000006
【図５】
0003134862.tif 000007
【図６】
0003134862.tif 000008
【図７】
0003134862.tif 000009
【図８】
0003134862.tif 000010
【図９】
0003134862.tif 000011
【手続補正書】
【提出日】平成19年7月2日(2007.7.2)
【手続補正１】
【補正対象書類名】実用新案登録請求の範囲
【補正対象項目名】請求項１
【補正方法】変更
【補正の内容】
【請求項１】
内面が凹面状に形成された開口部を有する洗浄具本体と、該洗浄具本体を壁面等に固定するための取付け手段とを備え、
前記内面は、シャワーヘッドのヘッド部分に設けた吐出部を近接して対向配置させた際に、吐出されたシャワー水が前記内面に沿って前記ヘッド部分の背面に流出する凹面状としてなることを特徴とするシャワーヘッド用洗浄具。
【手続補正２】
【補正対象書類名】明細書
【補正対象項目名】全文
【補正方法】変更
【補正の内容】
【考案の詳細な説明】
【技術分野】
【０００１】
本考案は、例えば入浴時等においてシャワーヘッドやホース等に付着した泡を良好に洗浄することのできるシャワーヘッド用洗浄具に関する。
【背景技術】
【０００２】
一般に、浴室において例えば頭髪をシャンプーしたり、身体を石鹸等の洗浄剤で洗った後には、シャワーヘッドやホース等に洗浄剤の泡が付着することがよくある。このように付着した泡は、シャワー使用後には、次の使用者のために綺麗に洗浄しておくのが好ましい考えられる。
【０００３】
この場合、別途水道の水等をかけて洗浄することが考えられるが、かかる一連の洗浄作業は手間を要するものであるために、従来、例えばシャワー水を利用してシャワーヘッドを洗浄せんとする洗浄具が開発されている（特許文献１）。
【０００４】
即ち、この従来の洗浄具は図９に示すように、内周面にシャワー水誘導面２０を形成すると共に、前面に開口部２１を開設した中空本体２２と、その下方に併設されるハンドシャワーヘッド収納容器２３とからなるものである。
【０００５】
かかるシャワーヘッド用洗浄具は、シャワーヘッドＳ１のヘッド部分２４に設けた吐出部２５を前記中空本体２２の開口部２１から離れた外側に配置した状態で使用されるものであり、吐出部２５から吐出されたシャワー水を中空本体２２のシャワー水誘導面２０に当てて、前記開口部２１の下部出口から流下するシャワー水により使用者の手、シャワーベッドＳ１の把持部２６及びホース２７に付着している洗浄剤の泡を洗い流そうとするものである。
【特許文献１】特開２００５−８７７０７号公報
【考案の開示】
【考案が解決しようとする課題】
【０００６】
しかしながら、上記従来の洗浄具は、シャワーヘッドＳ１の吐出部２５を開口部２１から離れた外側に配置した状態で使用され、該開口部２１の下部出口から流下したシャワー水により泡の洗浄を行うものであるために、洗浄可能な部位がシャワーヘッドＳ１の把持部２６やホース２７に限定されるという難点を有しており、シャワーヘッドＳ１の吐出部２５の周辺部分、即ちヘッド部分２４の背面等に付着した泡は洗い流せないという大なる問題点があったのである。
【０００７】
それ故に、本考案は上記従来の問題点を解決すべくなされたものであり、シャワーヘッドから吐出されるシャワー水の吐出圧に着目し、これを有効に利用することにより、使用者の手やホースに付着した泡は勿論、シャワーヘッドを全体にわたって綺麗に洗浄できるようにすることを課題としている。
【課題を解決するための手段】
【０００８】
即ち、上記課題を解決するために本考案の請求項１に記載した考案は、内面が凹面状に形成された開口部を有する洗浄具本体と、該洗浄具本体を壁面等に固定するための取付け手段とを備え、前記内面は、シャワーヘッドのヘッド部分に設けた吐出部を近接して対向配置させた際に、吐出されたシャワー水が前記内面に沿って前記ヘッド部分の背面に流出する凹面状としてなることを特徴とする。
【０００９】
請求項１記載のシャワーヘッド用洗浄具は、取付け手段により浴室の壁面等に取付けて使用する。そして、シャワーヘッドのヘッド部分に設けた吐出部を洗浄具本体の内面に対向配置すると、該吐出部から所定の吐出圧を有して吐出されたシャワー水は前記洗浄具本体の内面を介してヘッド部分の背面に流出することになり、これによりシャワーヘッド等に付着した泡が洗浄される。
【００１０】
請求項２記載のシャワーヘッド用洗浄具は、請求項１記載の洗浄具において、前記シャワーヘッドの吐出部を洗浄具本体の内面に対向配置させた状態で、該洗浄具本体が前記シャワーヘッドを保持し得るように構成されてなることを特徴とする。
【００１１】
請求項２記載のシャワーヘッド用洗浄具は、洗浄具本体でシャワーヘッドを保持することにより、シャワーヘッドの吐出部と洗浄具本体の内面とが対向配置され、この状態でシャワーヘッド等の洗浄が行われる。
【００１２】
請求項３記載のシャワーヘッド用洗浄具は、請求項２記載のシャワーヘッド用洗浄具において、シャワーヘッドを保持すべく、洗浄具本体の開口部にシャワーヘッドのヘッド部分を係止可能な係止部が設けられてなることを特徴とする。
【００１３】
請求項３記載のシャワーヘッド用洗浄具は、洗浄具本体の係止部にシャワーヘッドのヘッド部分を係止させて保持することにより、シャワーヘッドの吐出部と洗浄具本体の内面とが対向配置されて、この状態でシャワーヘッド等の洗浄が行われる。
【００１４】
請求項４記載のシャワーヘッド用洗浄具は、請求項１乃至３の何れかに記載のシャワーヘッド用洗浄具において、取付け手段により略垂直状の壁面等に洗浄具本体を取付けた際に、該洗浄具本体の開口部が上向きとなるべく構成されてなることを特徴とする。
【００１５】
請求項４記載のシャワーヘッド用洗浄具は、洗浄具本体の開口部が上向き構成されてなるために、シャワーヘッドの吐出部は下向きの状態で洗浄具本体の内面と対向配置されることになり、この状態でシャワーヘッドの洗浄等が行われる。
【００１６】
請求項５記載のシャワーヘッド用洗浄具は、請求項１乃至４の何れかに記載のシャワーヘッド用洗浄具において、シャワーヘッドの吐出部を洗浄具本体の内面に対向配置させた際に、該洗浄具本体の内面を介してシャワー水をシャワーヘッドのヘッド部分の背面に流出させるべく、該ヘッド部分の外面部と前記洗浄具本体の開口部の内周面間に間隙が形成されるように構成してなることを特徴とする。
【００１７】
請求項５記載のシャワーヘッド用洗浄具は、シャワーヘッドの吐出部から吐出されたシャワー水は、洗浄具本体の内面を介して間隙からヘッド部分の背面に流出することになり、これによりシャワーヘッド等の洗浄が行われる。
【００１８】
請求項６記載のシャワーヘッド用洗浄具は、請求項５記載のシャワーヘッド用洗浄具において、ヘッド部分の外面部と洗浄具本体の開口部の内周面間に間隙を形成すべく、該開口部の内周面に複数の凸部が設けられてなることを特徴とする。
【００１９】
請求項６記載のシャワーヘッド用洗浄具は、凸部により開口部の内周面とヘッド部分の外面部間に間隙が形成されることになり、かかる間隙からシャワー水がヘッド部分の背面に流出して洗浄が行われる。
【００２０】
請求項７記載のシャワーヘッド用洗浄具は、請求項１乃至６の何れかに記載のシャワーヘッド用洗浄具において、取付け手段が壁面等に吸着可能な吸着盤であることを特徴とする。
【００２１】
請求項７記載のシャワーヘッド用洗浄具は、吸着盤を壁面等に吸着させて洗浄具本体を該壁面等に取付けてシャワーヘッド等の洗浄を行う。
【考案の効果】
【００２２】
請求項１に記載のシャワーヘッド用洗浄具は、所定の吐出圧でシャワー水が吐出されるシャワーヘッドの吐出部を洗浄具本体の内面に対向配置させてなるために、シャワー水の吐出圧を有効に利用して、該シャワー水を前記内面からシャワーヘッドのヘッド部分の背面へと流出させることが可能になる。このため、従来の洗浄具では洗浄し得なかったヘッド部分も良好に洗浄することができ、よってシャワーヘッドを全体にわたって綺麗に洗浄することができるという格別の効果を得るに至った。
【００２３】
請求項２記載のシャワーヘッド用洗浄具は、使用者がシャワーヘッドを洗浄具本体に保持させることにより、その吐出部と洗浄具本体の内面との対向配置状態を維持することが可能となって、一連の洗浄作業の簡略化が図れる結果、使用者にかかる負担を軽減させ得るという特有の効果が得られた。
【００２４】
請求項３に記載のシャワーヘッド用洗浄具は、洗浄具本体の開口部にヘッド部分を係止可能な係止部が設けられているため、該係止部にヘッド部分を係止させるという簡単な操作によりシャワーヘッドを保持することができて洗浄の便に大いに供し得ると共に、かかる構成は非常に簡易であるため、その製作も容易に行えるという効果がある。
【００２５】
請求項４に記載のシャワーヘッド用洗浄具は、取付け手段により洗浄具本体を略垂直状の壁面等に取付けると、該洗浄具本体の開口部が上向きとなるように構成しているため、シャワーヘッドの洗浄時にはその吐出部を下向きにした状態で洗浄具本体の内面に対向配置すればよいので、使用者は無理なく容易にシャワーヘッド等を洗浄できるという効果がある。
【００２６】
請求項５に記載のシャワーヘッド用洗浄具によれば、シャワーヘッドのヘッド部分の外面部と洗浄具本体の開口部の内周面間に間隙が形成されるように構成してなるため、かかる間隙を介してシャワー水をヘッド部分の背面に良好に流出させ得ることとなり、その結果シャワーヘッド等の洗浄を確実に行えるという効果を奏する。
【００２７】
請求項６に記載のシャワーヘッド用洗浄具は、洗浄具本体の開口部の内周面に複数の凸部を設けることにより、該開口部の内周面とヘッド部分の外面部間に間隙を形成したものであるが、かかる簡易な構成によって間隙を確実に形成できるという効果がある。
【００２８】
請求項７に記載のシャワーヘッド用洗浄具は、壁面等に吸着可能な吸着盤を取付け手段としているため、容易に洗浄具を壁面等に取付けることができ、且つかかる取付け状態を良好に維持し得るという効果がある。
【００２９】
また、本考案に係るシャワーヘッド用洗浄具は全体の構成が非常に簡易であるために、その製作も安価に且つ容易に行うことができるという実用的な効果もある。
【考案を実施するための最良の形態】
【００３０】
本考案に係るシャワーヘッド用洗浄具を実施するための最良の形態を図面に基づいて具体的に説明する。
【００３１】
図１において、１は前面に開口部２を設けた略半球状の洗浄具本体を示し、その内面３は凹面状に形成されている。４は洗浄具本体１の背面に、その中央部よりも若干上方位置に設けたフックであり、上下方向に係止溝５を有している。６は前記開口部２の内周面に所定間隔を有して形成した複数の凸部である。尚、以上の各部材は合成樹脂で構成している。
【００３２】
７は壁面等に洗浄具本体１を取付けるための吸着盤で、その前面に突設した係止凸部８を前記フック４の係止溝５に係入して洗浄具本体１に固定される。
【００３３】
本実施形態は以上のような構成からなり、かかる洗浄具は図２に示すように吸着盤７を略垂直状の壁面Ａ等に吸着させて、洗浄具本体１を該壁面Ａ等に取付けた状態で使用する。この場合、上述の如くフック４は洗浄具本体１の中央部よりも若干上方位置に設けられているため、洗浄具本体１の開口部２は上向きに配置されることになる。また、吸着盤７よる壁面Ａ等への取付け作業は誰にでも容易で行うことができ、且つかかる取付け状態は良好に維持される。
【００３４】
そして、シャワーヘッドＳを洗浄する場合は、図２の如くシャワーヘッドＳのヘッド部分９に設けた吐出部１０からシャワー水を吐出させた状態で、該吐出部１０を図３及び図４に示すように洗浄具本体１の内面３に対向配置させる。この場合、洗浄具本体１の開口部２は上向きに配置されているため、前記吐出部１０を下向きにした状態で内面３に対向配置すればよく、使用者は無理なく容易にシャワーヘッドを洗浄することができる。
【００３５】
また、洗浄具本体１の開口部２の内周面には凸部６が設けられてなるため、該内周面とシャワーヘッドＳのヘッド部分９の外面間には図３のように常に間隙１１が形成されることになる。
【００３６】
従って、所定の吐出圧をもってシャワーヘッドＳの吐出部１０から吐出されたシャワー水は、図４のように洗浄具本体１の内面３及び間隙１１を介してシャワーヘッドＳのヘッド部分９の背面に確実に流出し、該ヘッド部分９に付着した泡を洗い流した後、さらに流下してシャワーヘッドＳの把持部１２、使用者の手１３及びホース１４が洗浄される。即ち、シャワー水の吐出圧を有効に利用して、シャワーヘッドＳ全体を綺麗に洗浄することができるのである。
【００３７】
また、洗浄具は全体の構成が非常に簡易であるために、その製作も安価に且つ容易に行うことができる。
【００３８】
尚、上記実施形態においては、使用者がシャワーヘッドＳを保持しながらその洗浄を行うように構成したが、洗浄具でシャワーヘッドＳを保持できるように構成することも可能である。
【００３９】
この場合は、例えば図５に示すように洗浄具本体１の前面上部に開口部２を設け、その内面３を凹面状に形成すると共に、洗浄具本体１の背面に上下一対の吸着盤８を設けて取付け手段とする。また、吸着盤８を略垂直状の壁面Ａ等に吸着させた場合、前記開口部２は上向きに配置されるように構成している。さらに、この開口部２の下端部には、シャワーヘッドＳのヘッド部分９に設けた係止凹部１５を係止可能な上向きの係止部１６が設けられており、該係止部１６に係止凹部１５を係止させた際には、係止部１６の部位を除いて、図６の如く開口部２の内周面とヘッド部分９の外面間には間隙１１が形成されるように構成している。尚、この場合において、シャワーヘッドＳのヘッド部分９以外の部位、例えば把持部１２等を保持するように構成しても構わない。また、開口部２の内周面には上記実施形態と同様に凸部６を設けることも可能である。これにより、間隙１１が確実に形成されて洗浄の便に供することになる。
【００４０】
かかる洗浄具を使用してシャワーヘッドＳを洗浄する場合は、図７のようにシャワーヘッドＳの吐出部１０からシャワー水を吐出させた状態で、図６及び図８に示すようにシャワーヘッドＳの係止凹部１５を洗浄具本体１の係止部１６に係止すればシャワーヘッドＳは保持され、使用者はシャワーヘッドＳから手を離すことができる。これによって、使用者の負担が軽減されることになる。
【００４１】
そして、シャワーヘッドＳの吐出部１０から所定圧力で吐出されたシャワー水は、洗浄具本体１の内面３及び間隙１１を介してシャワーヘッドＳのヘッド部分９の背面に良好に流出し、該ヘッド部分９に付着した泡を洗い流した後、さらに流下してシャワーヘッドＳの把持部１２、使用者の手１３及びホース１４が洗浄されることになる。即ち、この場合もシャワー水の吐出圧を有効利用した洗浄が行えるのである。
【００４２】
また、上記実施形態では、吸着盤７により略垂直状の壁面Ａ等に洗浄具本体１を取付けた際に、該洗浄具本体１の開口部２が上向きとなるべく構成したが、必ずしもこのように構成する必要はない。
【００４３】
さらに、上記実施形態にあっては、洗浄具本体１の開口部２の内周面に凸部６を設けて構成したが、例えばシャワーヘッドＳの位置やシャワー水の吐出圧等を使用者自身が適宜変更すれば、シャワー水をヘッド部分９の背面に流出させ得るので、かかる凸部６は省略してもよい。
【００４４】
また、洗浄具本体１の壁面Ａ等への取付け手段も上記実施形態の吸着盤７に限定されるものではなく、取付け場所等に応じて適切な取付け手段を採用すればよい。
【００４５】
その他、洗浄具の各部の形状や材質等の具体的な構成も本考案の意図する範囲内において任意に設計変更自在である。
【図面の簡単な説明】
【００４６】
【図１】本考案に係るシャワーヘッド用洗浄具の一実施形態を示し、（ａ）は正面図、（ｂ）は背面図、（ｃ）は側面図、（ｄ）は断面図、（ｅ）は分解斜視図である。
【図２】本考案に係るシャワーヘッド用洗浄具の一実施形態を示す側面図である。
【図３】本考案に係るシャワーヘッド用洗浄具の一実施形態を示し、（ａ）は使用状態を示す正面図、（ｂ）は拡大正面図である。
【図４】本考案に係るシャワーヘッド用洗浄具の一実施形態を示す側面図である。
【図５】本考案に係るシャワーヘッド用洗浄具の他の一実施形態を示す断面図である。
【図６】本考案に係るシャワーヘッド用洗浄具の他の一実施形態を示す正面図である。
【図７】本考案に係るシャワーヘッド用洗浄具の他の一実施形態を示す側面図である。
【図８】本考案に係るシャワーヘッド用洗浄具の他の一実施形態を示す断面図である。
【図９】従来のシャワーヘッド用洗浄具（特許文献１）を示す斜視図である。
【符号の説明】
【００４７】
１    洗浄具本体
２    開口部
３    内面
６    凸部
７    吸着盤
９    ヘッド部分
１０  吐出部
１１  間隙
１６  係止部
Ｓ    シャワーヘッド